(57)【要約】【課題】セキュリティを確保するための消費電力を小さくする。【解決手段】手首に装着可能なリスト端末装置１は、リスト端末装置１が身体に装着されているか否かの判定に使用可能なセンサー群３４と、リスト端末装置１が身体に装着されているか否かを判定する監視動作を実行するとともに、リスト端末装置１をアンロック状態及びロック状態の何れかに設定するＣＰＵ３８と、を備える。ＣＰＵ３８は、リスト端末装置１がアンロック状態に設定されているときに監視動作を実行し、センサー群３４のセンサーの何れも使用状態に設定されていないとき、動作時の消費電力が最も小さい加速度センサー３４ａを動作させて監視動作を実行する。【選択図】図６
2014130067.tif 000002
【特許請求の範囲】
【請求項１】
端末装置において、
当該端末装置は身体に装着可能であり、
当該端末装置が身体に装着されているか否かの判定に使用可能な複数種類のセンサーを有する装着検知部と、
当該端末装置が身体に装着されているか否かを判定する監視動作を実行する監視部と、
当該端末装置をアンロック状態及びロック状態の何れかに設定する制御部と、
を備え、
前記監視部は、当該端末装置が前記アンロック状態に設定されているときに前記監視動作を実行し、前記装着検知部の前記複数種類のセンサーの何れも使用状態に設定されていないとき、前記複数種類のセンサーのうちの動作時の消費電力が最も小さい特定のセンサーを動作させて当該監視動作を実行することを特徴とする端末装置。
【請求項２】
請求項１記載の端末装置において、
前記監視部は、前記監視動作を実行する際に、前記装着検知部の前記複数種類のセンサーの何れかが使用状態に設定されているとき、当該使用状態に設定されているセンサーを用いて当該監視動作を実行することを特徴とする端末装置。
【請求項３】
請求項１または２記載の端末装置において、
前記制御部は、前記監視部の前記監視動作によって前記端末装置が身体に装着されていないと判定された場合に、当該端末装置を前記ロック状態に設定することを特徴とする端末装置。
【請求項４】
請求項３記載の端末装置において、
前記装着検知部は、前記センサーとして当該端末装置が装着されている身体の脈拍を測定する脈拍センサーを有し、
前記監視部は、当該端末装置が前記ロック状態に設定され、ユーザによる認証操作が行われたときに前記脈拍センサーを動作させて、当該端末装置が身体に装着されているか否かを判定する判定動作を実行し、
前記制御部は、前記判定動作により当該端末装置が身体に装着されていると判定された場合に、当該端末装置を前記アンロック状態に設定することを特徴とする端末装置。
【請求項５】
請求項１〜３の何れか一項に記載の端末装置において、
前記装着検知部は、前記複数種類のセンサーとして、
当該端末装置が装着されている身体の脈拍を測定する脈拍センサーと、当該端末装置に加わる加速度を測定する加速度センサーとの何れかを含む第１センサー群と、
当該端末装置の装着面の温度を測定する体温センサーと、当該端末装置により行われる無線通信の通信感度を測定する通信感度センサーとの何れかを含む第２センサー群と、を有し、
当該端末装置は、
前記第２センサー群による測定結果と、この測定結果の測定時に当該端末装置が身体に装着されていたか否かの、前記第１センサー群による判定結果と、を対応付けたデータを記憶するデータ記憶部を備え、
前記監視部は、前記第２センサー群を用いて前記監視動作を行うとき、前記データ記憶部に記憶された前記データに基づいて当該監視動作を実行することを特徴とする端末装置。
【請求項６】
請求項５記載の端末装置において、
前記第１センサー群は、当該端末装置の位置での気圧を測定する気圧センサーを含み、
前記第２センサー群は、当該端末装置の周囲の磁気を測定する磁気センサーと、当該端末装置の周囲の湿度を測定する湿度センサーとの何れかを含むことを特徴とする端末装置。
【請求項７】
請求項１〜６の何れか一項に記載の端末装置において、
身体の手首、足首及び胸部の何れかに装着されることを特徴とする端末装置。
【請求項８】
端末装置のセキュリティを確保するセキュリティ方法において、
前記端末装置として、
身体に装着可能であり、
身体に装着されているか否かの判定に使用可能な複数種類のセンサーを有する装着検知部を備えるものを用い、
前記端末装置が身体に装着されているか否かを判定する監視動作を実行する監視ステップと、
前記端末装置をアンロック状態及びロック状態の何れかに設定するアンロック・ロック制御ステップと、
を含み、
前記監視ステップでは、前記端末装置が前記アンロック状態に設定されているときに前記監視動作を実行し、前記装着検知部の前記複数種類のセンサーの何れも使用状態に設定されていないとき、前記複数種類のセンサーのうちの動作時の消費電力が最も小さい特定のセンサーを動作させて当該監視動作を実行することを特徴とするセキュリティ方法。
【請求項９】
請求項８記載のセキュリティ方法において、
前記監視ステップでは、前記監視動作を実行する際に、前記装着検知部の前記複数種類のセンサーの何れかが使用状態に設定されているとき、当該使用状態に設定されているセンサーを用いて当該監視動作を実行することを特徴とするセキュリティ方法。
【請求項１０】
請求項８または９記載のセキュリティ方法において、
前記アンロック・ロック制御ステップでは、前記監視ステップの前記監視動作により前記端末装置が身体に装着されていないと判定された場合に、当該端末装置を前記ロック状態に設定することを特徴とするセキュリティ方法。
【請求項１１】
請求項１０記載のセキュリティ方法において、
前記装着検知部の前記複数種類のセンサーの１つとして、前記端末装置が装着されている身体の脈拍を測定する脈拍センサーを用い、
前記監視ステップでは、前記端末装置が前記ロック状態に設定され、ユーザによる認証操作が行われたときに前記脈拍センサーを動作させて、当該端末装置が身体に装着されているか否かを判定する判定動作を実行し、
前記アンロック・ロック制御ステップでは、前記監視ステップの前記判定動作により前記端末装置が身体に装着されていると判定された場合に、前記端末装置を前記アンロック状態に設定することを特徴とするセキュリティ方法。
【請求項１２】
請求項８〜１０の何れか一項に記載のセキュリティ方法において、
前記装着検知部の前記複数種類のセンサーとして、
前記端末装置が装着されている身体の脈拍を測定する脈拍センサーと、前記端末装置に加わる加速度を測定する加速度センサーとの何れかを含む第１センサー群と、
前記端末装置の装着面の温度を測定する体温センサーと、前記端末装置により行われる無線通信の通信感度を測定する通信感度センサーとの何れかを含む第２センサー群と、を用い、
前記第２センサー群による測定結果と、この測定結果の測定時に前記端末装置が身体に装着されていたか否かの、前記第１センサー群による判定結果と、を対応付けたデータを記憶するデータ記憶ステップを含み、
前記監視ステップでは、前記第２センサー群を用いて前記監視動作を行うとき、前記データ記憶ステップで記憶した前記データに基づいて、当該監視動作を実行することを特徴とするセキュリティ方法。
【請求項１３】
端末装置のセキュリティを確保するセキュリティプログラムにおいて、
前記端末装置は、
身体に装着可能であり、
身体に装着されているか否かの判定に使用可能な複数種類のセンサーを有する装着検知部を備え、
当該セキュリティプログラムは、前記端末装置に、
前記端末装置が身体に装着されているか否かを判定する監視動作を実行する監視機能と、
前記端末装置をアンロック状態及びロック状態の何れかに設定するアンロック・ロック制御機能と、
を実現させ、
前記監視機能は、前記端末装置が前記アンロック状態に設定されているときに前記監視動作を実行し、前記装着検知部の前記複数種類のセンサーの何れも使用状態に設定されていないとき、前記複数種類のセンサーのうちの動作時の消費電力が最も小さい特定のセンサーを動作させて当該監視動作を実行することを特徴とするセキュリティプログラム。
【請求項１４】
請求項１３記載のセキュリティプログラムにおいて、
前記監視機能は、前記監視動作を実行する際に、前記装着検知部の前記複数種類のセンサーの何れかが使用状態に設定されているとき、当該使用状態に設定されているセンサーを用いて当該監視動作を実行することを特徴とするセキュリティプログラム。
【請求項１５】
請求項１３または１４記載のセキュリティプログラムにおいて、
前記アンロック・ロック制御機能は、前記監視機能の前記監視動作により前記端末装置が身体に装着されていないと判定された場合に、当該端末装置を前記ロック状態に設定することを特徴とするセキュリティプログラム。
【発明の詳細な説明】
【技術分野】
【０００１】
本発明は、端末装置、セキュリティ方法及びセキュリティプログラムに関する。
【背景技術】
【０００２】
従来、スマートフォンの普及に伴い、スマートフォンと連携して動作する腕時計型の情報端末装置（以下、リスト端末装置とする）が注目されつつある。
このようなリスト端末装置では、アクセスや閲覧を制限するために、ソフトウェア的なセキュリティロックを掛けることができるようになっている。リスト端末装置に掛けられたセキュリティロックを解除するための認証動作としては、パスワード入力や指紋認証等が用いられている。
【０００３】
ところで、一般に、セキュリティロックを解除した後にリスト端末装置を放置すると、所定の時間が経過するまで再度ロックされることがなく、他人に操作される虞が生じるため、安全性が低下してしまう。
【０００４】
そのため、近年、このような問題を解決する技術として、リスト端末装置が腕に装着されているときだけ当該リスト端末装置のセキュリティロックを解除し、リスト端末装置が腕に装着されていないときにセキュリティロックを掛ける技術が提案されている（例えば特許文献１参照）。この特許文献１記載の技術では、リスト端末装置に脈拍センサーを設けておき、脈拍センサーで脈拍が検知されるか否かによって、リスト端末装置の装着／未装着（非装着）を判断するようになっている。
【先行技術文献】
【特許文献】
【０００５】
【特許文献１】特開２００４−３３２３０２号公報
【発明の概要】
【発明が解決しようとする課題】
【０００６】
しかしながら、一般に脈拍センサーはＬＥＤ等の光源を点灯させて脈拍のセンシングを行うため、消費電力が大きい。そのため、セキュリティを確保すべく装着／未装着の監視に脈拍センサーを使用すると、センシングのために常時ＬＥＤを点灯させておく必要があり、リスト端末装置のような電池容量の小さい機器では、電池寿命を短くする要因になってしまう。
【０００７】
本発明の課題は、セキュリティを確保するための消費電力を小さくすることのできる端末装置、セキュリティ方法及びセキュリティプログラムを提供することである。
【課題を解決するための手段】
【０００８】
以上の課題を解決するため、本発明は、端末装置において、
当該端末装置は身体に装着可能であり、
当該端末装置が身体に装着されているか否かの判定に使用可能な複数種類のセンサーを有する装着検知部と、
当該端末装置が身体に装着されているか否かを判定する監視動作を実行する監視部と、
当該端末装置をアンロック状態及びロック状態の何れかに設定する制御部と、
を備え、
前記監視部は、当該端末装置が前記アンロック状態に設定されているときに前記監視動作を実行し、前記装着検知部の前記複数種類のセンサーの何れも使用状態に設定されていないとき、前記複数種類のセンサーのうちの動作時の消費電力が最も小さい特定のセンサーを動作させて当該監視動作を実行することを特徴とする。
【発明の効果】
【０００９】
本発明によれば、セキュリティを確保するための消費電力を小さくすることができる。
【図面の簡単な説明】
【００１０】
【図１】リスト端末装置の外観図である。
【図２】リスト端末装置の機能構成を示すブロック図である。
【図３】セキュリティ処理の流れを示すフローチャートである。
【図４】装着／未装着の判定処理（１）の流れを示すフローチャートである。
【図５】直前感度・体温測定処理の流れを示すフローチャートである。
【図６】装着／未装着の判定処理（２）の流れを示すフローチャートである。
【図７】通信感度センサー及び体温センサーの動作タイミングを示すタイミングチャートである。
【発明を実施するための形態】
【００１１】
以下、添付図面を参照して本発明に係る実施の形態の一例を詳細に説明する。ただし、発明の範囲は、図示例に限定されない。
【００１２】
［構成］
図１は、本発明における端末装置を適用したリスト端末装置１の外観図である。また、図２は、リスト端末装置１の概略構成を示すブロック図である。
【００１３】
図１に示すように、リスト端末装置１は、例えば腕時計状に形成されており、ユーザの手首に装着されるようになっている。このリスト端末装置１は、図２に示すように、表示部３１と、入力部３２と、通信部３３と、センサー群３４と、記憶部３７と、ＣＰＵ３８等とを備えて構成されている。
【００１４】
表示部３１は、ディスプレイ３１０を備えており、ＣＰＵ３８から入力される表示信号に基づいて各種情報をディスプレイ３１０に表示するようになっている。なお、本実施の形態におけるディスプレイ３１０は、タッチパネル３２１と一体的に形成されており、ユーザによるタッチ操作を受け付け可能となっているものであってもよい。
【００１５】
入力部３２は、キー群３２０や上述のタッチパネル３２１を備えており、押下されたキーの種類やタッチパネル３２１の位置に対応する信号をＣＰＵ３８に出力するようになっている。
【００１６】
通信部３３は、他の電子機器（例えばパソコンなど）との間での無線通信や、ＧＰＳ等を用いた測位などを行うようになっている。なお、無線通信の方式としては、例えばWi-Fi等の無線ＬＡＮや、Bluetooth（登録商標）などを用いることができ、本実施の形態においてはBluetoothが用いられている。
【００１７】
センサー群３４は、複数種類のセンサーを有しており、本実施の形態においては、加速度センサー３４ａと、脈拍センサー３４ｂと、通信感度センサー３４ｃと、体温センサー３４ｄとを有している。
【００１８】
加速度センサー３４ａは、リスト端末装置１に加わる加速度を３軸方向の成分に分解して測定するセンサーである。なお、この加速度センサー３４ａは、ユーザ操作などに応じてＯＮ（通電状態）に設定され、センシング動作を行うようになっている。
【００１９】
脈拍センサー３４ｂは、リスト端末装置１の装着されている身体の脈拍を測定するセンサーである。なお、この脈拍センサー３４ｂは、ユーザ操作などに応じてＯＮ（通電状態）に設定され、センシング動作を行うようになっている。
【００２０】
通信感度センサー３４ｃは、通信部３３により行われる無線通信の通信感度を測定するセンサーである。このような通信感度センサー３４ｃとしては、従来より公知の受信電波強度インジケータなどを用いることができる。なお、この通信感度センサー３４ｃは、通信部３３が無線通信を行う場合にＯＮ（通電状態）に設定され、センシング動作を行うようになっている。
【００２１】
体温センサー３４ｄは、リスト端末装置１の装着面側の温度を測定する温度センサーであり、リスト端末装置１が身体に装着されているとき、身体の体温（例えば、手首に装着されているときには手首の表面温度）を測定する。なお、この体温センサー３４ｄは、ユーザ操作などに応じてＯＮ（通電状態）に設定され、センシング動作を行うようになっている。
【００２２】
ここで、本実施の形態においては、以上の通信感度センサー３４ｃ、加速度センサー３４ａ、脈拍センサー３４ｂ及び体温センサー３４ｄの動作時の消費電力は、大きい順に通信感度センサー３４ｃ、脈拍センサー３４ｂ、体温センサー３４ｄ、加速度センサー３４ａとなっており、加速度センサー３４ａの消費電力が最も小さくなっている。
【００２３】
また、以上の加速度センサー３４ａ、脈拍センサー３４ｂ、通信感度センサー３４ｃ及び体温センサー３４ｄのうち、加速度センサー３４ａ及び脈拍センサー３４ｂは、当該センサーのみの使用によってリスト端末装置１が身体に装着されているか否か、つまり装着／未装着の判定が可能となっている。即ち、加速度センサー３４ａによれば、加速度が検出された場合にはリスト端末装置１が装着されていると判定し、加速度が検出されない場合にはリスト端末装置１が装着されていないと判定することができる。なお、リスト端末装置１が未装着で放置されているときでも、例えば建物の僅かな揺れや地面の僅かな揺れ等に起因する僅かな加速度が加速度センサー３４ａにより検出される場合があるため、この僅かな揺れに起因する加速度に対応する閾値を設定して、検出される加速度がこの閾値を超えているときにリスト端末装置１が装着されていると判定するようにしてもよい。また、脈拍センサー３４ｂによれば、脈拍が検出された場合にはリスト端末装置１が装着されていると判定し、脈拍が検出されない場合にはリスト端末装置１が装着されていないと判定することができる。
【００２４】
一方、通信感度センサー３４ｃ及び体温センサー３４ｄは、当該センサーと、後述の直前状態テーブル３７２との使用によって装着／未装着の判定が可能となっている。但し、通信感度センサー３４ｃ，体温センサー３４ｄによって装着／未装着を判定する手法については詳細を後述する。
【００２５】
記憶部３７は、リスト端末装置１の各種機能を実現するためのプログラムやデータを記憶するとともに、ＣＰＵ３８の作業領域として機能するメモリである。本実施の形態においては、記憶部３７は、セキュリティプログラム３７１、直前状態テーブル３７２等を記憶している。
【００２６】
セキュリティプログラム３７１は、後述のセキュリティ処理（図３参照）をＣＰＵ３８に実行させるためのプログラムである。
【００２７】
直前状態テーブル３７２は、後述のセキュリティ処理（図３参照）において加速度センサー３４ａ、脈拍センサー３４ｂ、通信感度センサー３４ｃ及び体温センサー３４ｄの何れかが動作することによってリスト端末装置１がユーザの手首に装着されているか否かが判定されたときに、その判定結果（装着／未装着）のデータが記憶されるようになっている。また、この判定のときに通信感度センサー３４ｃ，体温センサー３４ｄが動作していた場合には、装着／未装着の判定結果に対応付けて、通信感度センサー３４ｃ，体温センサー３４ｄによる測定結果（通信感度，体温）と、そのセンサーの種類とを含むデータがそれぞれ記憶されるようになっている。
【００２８】
ＣＰＵ３８は、リスト端末装置１の各部を中央制御する。具体的には、ＣＰＵ３８は、記憶部３７に記憶されているシステムプログラム及び各種アプリケーションプログラムの中から指定されたプログラムを展開し、展開されたプログラムとの協働で、各種処理を実行する。
【００２９】
［動作］
＜セキュリティ処理＞
続いて、リスト端末装置１によって実行されるセキュリティ処理について、図面を参照しつつ説明する。
【００３０】
図３は、セキュリティ処理の動作を説明するためのフローチャートである。なお、このセキュリティ処理は、リスト端末装置１が起動されると、記憶部３７からセキュリティプログラム３７１が読み出されて適宜展開される結果、当該セキュリティプログラム３７１とＣＰＵ３８との協働によって実行される。また、このセキュリティ処理において実行される後述の装着／未装着の判定処理（１），（２）（図４，図６参照）は、ユーザ操作に応じてセンサー群３４の各センサー（通信感度センサー３４ｃ、加速度センサー３４ａ、脈拍センサー３４ｂ、体温センサー３４ｄ）を動作させて各センサーによるセンシング動作を行う処理動作や、通信部３３による無線通信を行う処理動作、と並行して実行されており、各センサーはユーザ操作により行われるセンシング動作に応じて、適宜ＯＮ又はＯＦＦに設定される。
【００３１】
図３に示すように、このセキュリティ処理においては、まずＣＰＵ３８は、起動後のリスト端末装置１をソフトウェア的なセキュリティロック状態（以下、ロック状態とする）に設定する（ステップＳ１）。なお、この状態においては、センサー群３４の各センサー（通信感度センサー３４ｃ、加速度センサー３４ａ、脈拍センサー３４ｂ、体温センサー３４ｄ）はＯＦＦに設定される。
【００３２】
次に、ＣＰＵ３８は、ユーザによりロック状態の解除を要求するロック解除要求操作が行われ、所定の認証操作が行われたか否かを判定し（ステップＳ２）、ロック解除要求操作が行われていないとき（ステップＳ２；Ｎｏ）には上述のステップＳ１に移行する。ここで、本実施の形態においては、ユーザによる認証操作として、パスワードの入力操作が用いられている。
【００３３】
ステップＳ２においてロック解除要求操作が行われた、つまり正しいパスワードが入力されたと判定した場合（ステップＳ２；Ｙｅｓ）には、ＣＰＵ３８は、リスト端末装置１がユーザの手首に装着されているか否かを判定すべく、装着／未装着の判定処理（１）を行う（ステップＳ３）。
【００３４】
具体的には、図４に示すように、この装着／未装着判定処理（１）においてまずＣＰＵ３８は、脈拍センサー３４ｂをＯＮに設定した後（ステップＴ１）、センシング動作（脈拍の測定）を行う（ステップＴ２）。なお、本実施の形態においては、このセンシング動作は後述のステップＴ５の終了時まで継続して行われる。
【００３５】
次に、ＣＰＵ３８は、ステップＴ２での測定結果（脈拍）に基づいて、リスト端末装置１がユーザの手首に装着されているか否かを判定し（ステップＴ３）、装着／未装着の判定結果を直前状態テーブル３７２に記憶させる（ステップＴ４）。なお、ステップＴ３においてＣＰＵ３８は、脈拍が検出された場合には、現時点でリスト端末装置１が装着されていると判定し、脈拍が検出されない場合には、現時点でリスト端末装置１が装着されていないと判定する。
【００３６】
次に、ＣＰＵ３８は、直前感度・体温測定処理を行う（ステップＴ５）。
具体的には、図５に示すように、この直前感度・体温測定処理においてまずＣＰＵ３８は、当該セキュリティ処理と並行して行われる処理動作において、通信部３３による無線通信が既にＯＮに設定されている（使用されている）か否かを判定し（ステップＵ１）、無線通信がＯＮに設定されていないと判定した場合（ステップＵ１；Ｎｏ）には後述のステップＵ４に移行する。
【００３７】
また、ステップＵ１において、通信部３３による無線通信がＯＮに設定されていると判定した場合（ステップＵ１；Ｙｅｓ）には、ＣＰＵ３８は、通信感度センサー３４ｃによる通信感度の測定を行い（ステップＵ２）、この測定結果（通信感度）と、測定を行ったセンサーの種類（ここでは通信感度センサー３４ｃ）とのデータを、直前状態テーブル３７２における装着／未装着の直近の判定結果に対応付けて記憶させる（ステップＵ３）。
【００３８】
次に、ＣＰＵ３８は、当該セキュリティ処理と並行して行われる処理動作において、ユーザ操作により体温センサー３４ｄが既にＯＮに設定されている（使用されている）か否かを判定し（ステップＵ４）、体温センサー３４ｄがＯＮに設定されていないと判定した場合（ステップＵ４；Ｎｏ）には直前感度・体温測定処理を終了する。
【００３９】
また、ステップＵ４において体温センサー３４ｄがＯＮに設定されていると判定した場合（ステップＵ４；Ｙｅｓ）には、ＣＰＵ３８は、体温センサー３４ｄによるセンシング動作（体温の測定）を行い（ステップＵ５）、この測定結果（体温）と、測定を行ったセンサーの種類（ここでは体温センサー３４ｄ）とのデータを、直前状態テーブル３７２における装着／未装着の直近の判定結果に対応付けて記憶させた後（ステップＵ６）、直前感度・体温測定処理を終了する。
【００４０】
以上のステップＴ２〜Ｔ５の処理により、例えば図７における上側２つのタイミングチャートに示すように、ステップＴ２で脈拍センサー３４ｂによるセンシング動作が開始される場合に、この測定に対して測定時間の少なくとも一部がオーバーラップするように通信感度センサー３４ｃ及び体温センサー３４ｄ（但しＯＮ状態のセンサーに限る）によって測定が行われ、この測定結果と、測定を行ったセンサーの種類と、脈拍センサー３４ｂによる装着／未装着の判定結果とが対応付けられたデータが直前状態テーブル３７２に記憶されることとなる。
【００４１】
そして、ステップＴ５における直前感度・体温設定処理が終了したら、図４に示すように、次にＣＰＵ３８は、当該セキュリティ処理と並行して行われる処理動作において、ユーザ操作により脈拍センサー３４ｂが使用されている（ＯＮに設定されている）か否かを判定する（ステップＴ６）。
【００４２】
そして、ステップＴ６において脈拍センサー３４ｂが使用されていると判定した場合（ステップＴ６；Ｙｅｓ）には、ＣＰＵ３８は、脈拍センサー３４ｂをＯＮに設定したままで、装着／未装着の判定処理（１）を終了する一方、脈拍センサー３４ｂが使用されていないと判定した場合（ステップＴ６；Ｎｏ）には脈拍センサー３４ｂの動作を終了させて脈拍センサー３４ｂをＯＦＦに設定し（ステップＴ７）、装着／未装着の判定処理（１）を終了する。
【００４３】
以上のステップＳ３における装着／未装着の判定処理（１）が終了したら、図３に示すように、次にＣＰＵ３８は、装着／未装着の何れの判定結果が得られたかに基づいて、現時点でリスト端末装置１が装着されているか否かを判定し（ステップＳ４）、装着されていないと判定した場合（ステップＳ４；Ｎｏ）には、上述のステップＳ１に移行する。
【００４４】
また、ステップＳ４においてリスト端末装置１が装着されていると判定した場合（ステップＳ４；Ｙｅｓ）には、ＣＰＵ３８は、リスト端末装置１をアンロック状態（セキュリティロックが解除された状態）に設定し（ステップＳ５）、次いで、装着／未装着の判定処理（２）を行う（ステップＳ６）。
【００４５】
具体的には、図６に示すように、この装着／未装着の判定処理（２）においてまずＣＰＵ３８は、当該セキュリティ処理と並行して行われる処理動作において、通信部３３による無線通信が既に使用されているか否か、換言すれば、通信感度センサー３４ｃが動作するよう指定されているか否かを判定する（ステップＶ１）。
【００４６】
このステップＶ１において無線通信が使用されている（ＯＮに設定されている）と判定した場合（ステップＶ１；Ｙｅｓ）には、ＣＰＵ３８は、通信感度センサー３４ｃによる通信感度の測定を行う（ステップＶ２）。なお、本実施の形態においては、この測定動作は、体温センサー３４ｄがＯＮに設定されている場合には、後述のステップＶ７の終了時まで継続して行われる。
【００４７】
次に、ＣＰＵ３８は、ステップＶ２での測定結果（通信感度）に基づいて、リスト端末装置１がユーザの手首に装着されているか否かを判定する（ステップＶ３）。
【００４８】
より詳細には、このステップＶ３においてＣＰＵ３８は、通信感度センサー３４ｃによる測定結果と、通信感度センサー３４ｃによる前回の測定結果として直前状態テーブル３７２に記憶された測定結果と、の変化パターンに基づいて、リスト端末装置１が装着状態と未装着状態との間で移行したか否かを検知する。また、このときＣＰＵ３８は、直前状態テーブル３７２に記憶された装着／未装着の判定結果に基づいて、通信感度センサー３４ｃによる前回の測定時にリスト端末装置１が装着されていたか否かを検知する。
そして、ＣＰＵ３８は、前回の測定時にリスト端末装置１が装着されており、かつ、リスト端末装置１が装着状態と未装着状態との間で移行していないと判定した場合には、現時点でリスト端末装置１が装着されていると判定する。また、ＣＰＵ３８は、前回の測定時にリスト端末装置１が装着されており、かつ、リスト端末装置１が装着状態と未装着状態との間で移行したと判定した場合には、現時点でリスト端末装置１が装着されていないと判定する。また、ＣＰＵ３８は、前回の測定時にリスト端末装置１が装着されておらず、かつ、リスト端末装置１が装着状態と未装着状態との間で移行していないと判定した場合には、現時点でリスト端末装置１が装着されていないと判定する。また、ＣＰＵ３８は、前回の測定時にリスト端末装置１が装着されておらず、かつ、リスト端末装置１が装着状態と未装着状態との間で移行したと判定した場合には、現時点でリスト端末装置１が装着されていると判定する。
【００４９】
以上のステップＶ３により装着／未装着の判定を行ったら、次にＣＰＵ３８は、直前状態テーブル３７２に装着／未装着の判定結果を記憶させるとともに（ステップＶ４）、この判定結果に対応付けて、通信感度センサー３４ｃによる測定結果（通信感度）のデータを記憶させる（ステップＶ５）。
【００５０】
次に、ＣＰＵ３８は、当該セキュリティ処理と並行して行われる処理動作において、ユーザ操作により体温センサー３４ｄが既にＯＮに設定されている（使用されている）か否かを判定し（ステップＶ６）、ＯＮに設定されていない（ＯＦＦに設定されている）と判定した場合（ステップＶ６；Ｎｏ）には、体温センサー３４ｄをＯＦＦに設定したままで、装着／未装着の判定処理（２）を終了する。
【００５１】
また、ステップＶ６において体温センサー３４ｄがＯＮに設定されていると判定した場合（ステップＶ６；Ｙｅｓ）には、ＣＰＵ３８は、体温センサー３４ｄによるセンシング動作（体温の測定）を行い（ステップＶ７）、この測定結果（体温）と、測定を行ったセンサーの種類（ここでは体温センサー３４ｄ）とのデータを、直前状態テーブル３７２における装着／未装着の直近の判定結果に対応付けて記憶させた後（ステップＶ８）、装着／未装着の判定処理（２）を終了する。
【００５２】
以上のステップＶ２〜Ｖ８の処理により、ステップＶ２で通信感度センサー３４ｃによる測定が開始される場合に、この測定に対して測定時間の少なくとも一部がオーバーラップするように体温センサー３４ｄ（但しＯＮ状態の場合に限る）によって測定が行われ、この測定結果と、測定を行ったセンサーの種類と、通信感度センサー３４ｃによる装着／未装着の判定結果とが対応付けられたデータが直前状態テーブル３７２に記憶されることとなる。
【００５３】
また、上述のステップＶ１において無線通信が使用されていないと判定した場合（ステップＶ１；Ｙｅｓ）には、ＣＰＵ３８は、当該セキュリティ処理と並行して行われる処理動作において、ユーザ操作により脈拍センサー３４ｂが既に使用されている（ＯＮに設定されている）か否か、換言すれば、脈拍センサー３４ｂが動作するよう指定されているか否かを判定する（ステップＶ１１）。
【００５４】
このステップＶ１１において脈拍センサー３４ｂが使用されていると判定した場合（ステップＶ１１；Ｙｅｓ）には、ＣＰＵ３８は、脈拍センサー３４ｂにセンシング動作（脈拍の測定）を行わせる（ステップＶ１２）。なお、本実施の形態においては、この測定動作は、後述のステップＶ１５の終了時まで継続して行われる。
【００５５】
次に、ＣＰＵ３８は、上述のステップＴ３（図４参照）と同様にして、ステップＶ１２での測定結果（脈拍）に基づいて、リスト端末装置１がユーザの手首に装着されているか否かを判定した後（ステップＶ１３）、装着／未装着の判定結果を直前状態テーブル３７２に記憶させる（ステップＶ１４）。
【００５６】
次に、ＣＰＵ３８は、上述のステップＴ５（図４参照）と同様に、直前感度・体温測定処理を行った後（ステップＶ１５）、装着／未装着の判定処理（２）を終了する。
【００５７】
以上のステップＶ１２〜Ｖ１５の処理により、例えば図７における上側２つのタイミングチャートに示すように、ステップＶ１２で脈拍センサー３４ｂによるセンシング動作が開始される場合に、この測定に対して測定時間の少なくとも一部がオーバーラップするように通信感度センサー３４ｃ及び体温センサー３４ｄ（但しＯＮ状態のセンサーに限る）によって測定が行われ、この測定結果と、測定を行ったセンサーの種類と、脈拍センサー３４ｂによる装着／未装着の判定結果とが対応付けられたデータが直前状態テーブル３７２に記憶されることとなる。
【００５８】
また、上述のステップＶ１１において脈拍センサー３４ｂが使用されていないと判定した場合（ステップＶ１１；Ｎｏ）には、ＣＰＵ３８は、当該セキュリティ処理と並行して行われる処理動作において、ユーザ操作により体温センサー３４ｄが既に使用されている（ＯＮに設定されている）か否か、換言すれば、体温センサー３４ｄが動作するよう指定されているか否かを判定する（ステップＶ２１）。
【００５９】
このステップＶ２１において体温センサー３４ｄが使用されていると判定した場合（ステップＶ２１；Ｙｅｓ）には、ＣＰＵ３８は、体温センサー３４ｄにセンシング動作（体温の測定）を行わせる（ステップＶ２２）。なお、本実施の形態においては、この測定動作は、無線通信がＯＮに設定されている場合には、後述のステップＶ２７の終了時まで継続して行われる。
【００６０】
次に、ＣＰＵ３８は、ステップＶ２２での測定結果（体温）に基づいて、リスト端末装置１がユーザの手首に装着されているか否かを判定する（ステップＶ２３）。
【００６１】
より詳細には、このステップＶ２３においてＣＰＵ３８は、体温センサー３４ｄによる測定結果と、体温センサー３４ｄによる前回の測定結果として直前状態テーブル３７２に記憶された測定結果との変化パターンに基づいて、リスト端末装置１が装着状態と未装着状態との間で移行したか否かを検知する。また、このときＣＰＵ３８は、直前状態テーブル３７２に記憶された装着／未装着の判定結果に基づいて、体温センサー３４ｄによる前回の測定時にリスト端末装置１が装着されていたか否かを検知する。
そして、ＣＰＵ３８は、上述のステップＶ３と同様にして、リスト端末装置１が装着されているか否かを判定する。
【００６２】
以上のステップＶ２３により装着／未装着の判定を行ったら、次にＣＰＵ３８は、直前状態テーブル３７２に装着／未装着の判定結果を記憶させるとともに（ステップＶ２４）、この判定結果に対応付けて、体温センサー３４ｄによる測定結果（体温）のデータを記憶させる（ステップＶ５）。
【００６３】
次に、ＣＰＵ３８は、当該セキュリティ処理と並行して行われる処理動作において、無線通信が既にＯＮに設定されている（使用されている）か否かを判定し（ステップＶ２６）、ＯＮに設定されていない（ＯＦＦに設定されている）と判定した場合（ステップＶ２６；Ｎｏ）には、無線通信をＯＦＦに設定したままで、装着／未装着の判定処理（２）を終了する。
【００６４】
また、ステップＶ２６において無線通信がＯＮに設定されていると判定した場合（ステップＶ２６；Ｙｅｓ）には、ＣＰＵ３８は、通信感度センサー３４ｃによる通信感度の測定を行い（ステップＶ２７）、この測定結果（通信感度）と、測定を行ったセンサーの種類（ここでは通信感度センサー３４ｃ）とのデータを、直前状態テーブル３７２における装着／未装着の直近の判定結果に対応付けて記憶させた後（ステップＶ２８）、装着／未装着の判定処理（２）を終了する。
【００６５】
以上のステップＶ２２〜Ｖ２８の処理により、ステップＶ２２で体温センサー３４ｄによる測定が開始される場合に、この測定に対して測定時間の少なくとも一部がオーバーラップするように通信感度センサー３４ｃ（但しＯＮ状態の場合に限る）によって測定が行われ、この測定結果と、測定を行ったセンサーの種類と、体温センサー３４ｄによる装着／未装着の判定結果とが対応付けられたデータが直前状態テーブル３７２に記憶されることとなる。
【００６６】
また、上述のステップＶ２１において体温センサー３４ｄが使用されていないと判定した場合（ステップＶ２１；Ｎｏ）には、ＣＰＵ３８は、加速度センサー３４ａをＯＮに設定する（ステップＶ３１）。
【００６７】
次に、ＣＰＵ３８は、加速度センサー３４ａにセンシング動作（加速度の測定）を行わせる（ステップＶ３２）。なお、本実施の形態においては、この測定動作は、後述のステップＶ３５の終了時まで継続して行われる。
【００６８】
次に、ＣＰＵ３８は、ステップＶ３２での測定結果（加速度）に基づいて、リスト端末装置１がユーザの手首に装着されているか否かを判定した後（ステップＶ３３）、装着／未装着の判定結果を直前状態テーブル３７２に記憶させる（ステップＶ３４）。なお、ステップＶ３３においてＣＰＵ３８は、加速度が検出された場合には、現時点でリスト端末装置１が装着されていると判定し、加速度が検出されない場合には、現時点でリスト端末装置１が装着されていないと判定する。
【００６９】
次に、ＣＰＵ３８は、上述のステップＴ５（図４参照）と同様に、直前感度・体温測定処理を行う（ステップＶ３５）。
【００７０】
以上のステップＶ３２〜Ｖ３５の処理により、例えば図７における下側２つのタイミングチャートに示すように、ステップＶ３２で加速度センサー３４ａによるセンシング動作が開始される場合に、この測定に対して測定時間の少なくとも一部がオーバーラップするように通信感度センサー３４ｃ及び体温センサー３４ｄ（但しＯＮ状態のセンサーに限る）によって測定が行われ、この測定結果と、測定を行ったセンサーの種類と、加速度センサー３４ａによる装着／未装着の判定結果とが対応付けられたデータが直前状態テーブル３７２に記憶されることとなる。
【００７１】
次に、ＣＰＵ３８は、当該セキュリティ処理と並行して行われる処理動作において、ユーザ操作により加速度センサー３４ａが使用されている（ＯＮに設定されている）か否かを判定し（ステップＶ３６）、使用されていると判定した場合（ステップＶ３６；Ｙｅｓ）には、加速度センサー３４ａをＯＮに設定したままで装着／未装着の判定処理（２）を終了する。
【００７２】
また、ステップＶ３６において加速度センサー３４ａが使用されていない（ＯＦＦに設定されている）と判定した場合（ステップＶ３６；Ｎｏ）には、ＣＰＵ３８は、加速度センサー３４ａをＯＦＦに設定した後（ステップＶ３７）、装着／未装着の判定処理（２）を終了する。
【００７３】
そして、以上のステップＳ６の装着／未装着の判定処理（２）が終了したら、図３に示すように、次にＣＰＵ３８は、上述のステップＳ４に移行する。その結果、リスト端末装置１が装着されていないと判定された場合（ステップＳ４；Ｎｏ）にはリスト端末装置１がロック状態に設定され（ステップＳ１）、リスト端末装置１が装着されていると判定された場合（ステップＳ４；Ｙｅｓ）には、装着／未装着の判定処理（２）（ステップＳ６）が繰返し行われることとなる。これにより、装着／未装着の判定処理（２）は、リスト端末装置１がロックされていない状態の場合にのみ行われることとなる。このステップＳ６の装着／未装着の判定処理（２）は、所定時間間隔（例えば３０秒間隔）で繰り返し行われる。
【００７４】
ここで、上述のステップＳ６の装着／未装着の判定処理（２）においては、当該セキュリティ処理と並行して行われる処理動作において、ユーザ操作によりセンサー群３４の何れのセンサー（通信感度センサー３４ｃ、加速度センサー３４ａ、脈拍センサー３４ｂ、体温センサー３４ｄ）も使用されていない場合には、これらのセンサーのうちで最も消費電力の小さい加速度センサー３４ａがＯＮに設定され、装着／未装着の判定に使用されることとなる。そのため、ユーザ操作によりセンサー群３４の何れのセンサーも使用されない状態でステップＳ６の装着／未装着の判定処理（２）が繰返し行われると、消費電力の最も小さい加速度センサー３４ａの動作によって、装着／未装着の監視が行われることとなる。また、ステップＳ６の装着／未装着の判定処理（２）においては、装着／未装着の判定が最後に行われてから所定時間（例えば３０秒）が経過した後に加速度センサー３４ａがＯＮに設定され（ステップＶ３１）、装着／未装着の判定が行われるので、装着／未装着の判定処理（２）が繰返し行われる場合には、装着／未装着の判定が最後に行われてから所定時間が経過する毎に、加速度センサー３４ａがＯＮに設定されて装着／未装着の判定が行われることとなる。
【００７５】
以上、本実施の形態によれば、図３のステップＳ４〜Ｓ６、図６のＶ１，Ｖ１１，Ｖ２１，Ｖ３１〜Ｖ３３等に示したように、センサー群３４の各センサーのうち、動作時の消費電力が最も小さい加速度センサー３４ａを動作させることで、リスト端末装置１の装着／未装着を監視するので、加速度センサー３４ａよりも消費電力の大きいセンサー（例えば脈拍センサー３４ｂ）を動作させて監視する場合と比較して、セキュリティを確保するための消費電力を小さくすることができる。
また、図３のステップＳ１〜Ｓ６等に示したように、リスト端末装置１がアンロック状態のときにのみ、装着／未装着の判定処理（２）でリスト端末装置１の装着／未装着を監視するので、ロック状態のときに装着／未装着を判定して電力を無駄に消費してしまうのを防止することができる。
【００７６】
また、図６のステップＶ１〜Ｖ３、Ｖ１１〜Ｖ１２、Ｖ２１〜Ｖ２３等に示したように、セキュリティ処理と並行して行われる処理においてセンサー群３４における何れかのセンサーが使用状態に設定されているときには、そのセンサーを用いてリスト端末装置１の装着／未装着を判定するので、当該使用状態のセンサーに加え、加速度センサー３４ａを並行して動作させる場合と比較して、消費電力を小さくすることができる。
【００７７】
また、図３のステップＳ１〜Ｓ４、図４のステップＴ１〜Ｔ３等に示したように、リスト端末装置１がロックされているときには、ユーザ操作によりパスワードが入力され、かつ、装着／未装着の判定処理（１）でリスト端末装置１が身体に装着されていると判定された場合にロックを解除することを可能とするので、装着されているとの判定のみでロックを解除する場合と比較して、安全性を高めることができる。また、このとき使用されるセンサーが脈拍センサー３４ｂであるので、装着／未装着の判定を正確に行うことができる。
【００７８】
また、図４のステップＴ２〜Ｔ５、図６のステップＶ１２〜Ｖ１５、Ｖ３２〜Ｖ３５等に示したように、脈拍センサー３４ｂまたは加速度センサー３４ａを使用して装着／未装着を判定する場合に、通信感度センサー３４ｃ及び体温センサー３４ｄが測定を行って、通信感度センサー３４ｃ及び体温センサー３４ｄによる測定結果と、測定を行ったセンサーの種類と、装着／未装着の判定結果とを対応付けたデータを直前状態テーブル３７２に記憶させておき、通信感度センサー３４ｃまたは体温センサー３４ｄを使用して装着／未装着を判定する場合に、直前状態テーブル３７２に記憶されたデータに基づいてリスト端末装置１の装着／未装着を判定するので、単独の使用では装着／未装着の判定を行うことができない通信感度センサー３４ｃや体温センサー３４ｄを用いて、装着／未装着の判定を行うことができる。
【００７９】
なお、上記の実施の形態におけるリスト端末装置１の各構成要素の細部構成及び細部動作に関しては、本発明の趣旨を逸脱しない範囲で適宜変更可能であることは勿論である。
【００８０】
例えば、本発明に係る端末装置は、ユーザの手首に装着されずに、足首や胸部に装着されることとしても良い。
【００８１】
また、センサー群３４は、加速度センサー３４ａ、脈拍センサー３４ｂ、通信感度センサー３４ｃ及び体温センサー３４ｄを有することとして説明したが、加速度センサー３４ａ及び脈拍センサー３４ｂに加えて、或いは、これらの何れかに代えて、リスト端末装置１の位置での気圧を測定する気圧センサーを有することとしても良いし、通信感度センサー３４ｃ及び体温センサー３４ｄに加えて、或いは、これらの何れかに代えて、リスト端末装置１の位置での磁気を測定する磁気センサーや、リスト端末装置１の位置での湿度を測定する湿度センサーを有することとしても良い。ここで、気圧センサーを具備したリスト端末装置１が装着されている場合には、ユーザの動作によってリスト端末装置１が空気抵抗を受けて気圧の測定結果に変動が生じるため、この気圧センサーよれば、このような変動が検出された場合にはリスト端末装置１が装着されていると判定し、変動が検出されない場合にはリスト端末装置１が装着されていないと判定することができる。また、磁気センサーによれば、測定される磁気の値の変化パターンに基づいて、リスト端末装置１が装着／未装着の間で移行したか否かを検知することができるため、直前状態テーブル３７２と併用することで、装着／未装着の判定を行うことができる。また、湿度センサーによれば、測定される湿度の値の変化パターンに基づいて、リスト端末装置１が装着／未装着の間で移行したか否かを検知することができるため、直前状態テーブル３７２と併用することで、装着／未装着の判定を行うことができる。
【００８２】
以上、本発明のいくつかの実施形態を説明したが、本発明の範囲は、上述の実施の形態に限定するものではなく、特許請求の範囲に記載された発明の範囲とその均等の範囲を含む。
【００８３】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
端末装置において、
当該端末装置は身体に装着可能であり、
当該端末装置が身体に装着されているか否かの判定に使用可能な複数種類のセンサーを有する装着検知部と、
当該端末装置が身体に装着されているか否かを判定する監視動作を実行する監視部と、
当該端末装置をアンロック状態及びロック状態の何れかに設定する制御部と、
を備え、
前記監視部は、当該端末装置が前記アンロック状態に設定されているときに前記監視動作を実行し、前記装着検知部の前記複数種類のセンサーの何れも使用状態に設定されていないとき、前記複数種類のセンサーのうちの動作時の消費電力が最も小さい特定のセンサーを動作させて当該監視動作を実行することを特徴とする端末装置。
＜請求項２＞
請求項１記載の端末装置において、
前記監視部は、前記監視動作を実行する際に、前記装着検知部の前記複数種類のセンサーの何れかが使用状態に設定されているとき、当該使用状態に設定されているセンサーを用いて当該監視動作を実行することを特徴とする端末装置。
＜請求項３＞
請求項１または２記載の端末装置において、
前記制御部は、前記監視部の前記監視動作によって前記端末装置が身体に装着されていないと判定された場合に、当該端末装置を前記ロック状態に設定することを特徴とする端末装置。
＜請求項４＞
請求項３記載の端末装置において、
前記装着検知部は、前記センサーとして当該端末装置が装着されている身体の脈拍を測定する脈拍センサーを有し、
前記監視部は、当該端末装置が前記ロック状態に設定され、ユーザによる認証操作が行われたときに前記脈拍センサーを動作させて、当該端末装置が身体に装着されているか否かを判定する判定動作を実行し、
前記制御部は、前記判定動作により当該端末装置が身体に装着されていると判定された場合に、当該端末装置を前記アンロック状態に設定することを特徴とする端末装置。
＜請求項５＞
請求項１〜３の何れか一項に記載の端末装置において、
前記装着検知部は、前記複数種類のセンサーとして、
当該端末装置が装着されている身体の脈拍を測定する脈拍センサーと、当該端末装置に加わる加速度を測定する加速度センサーとの何れかを含む第１センサー群と、
当該端末装置の装着面の温度を測定する体温センサーと、当該端末装置により行われる無線通信の通信感度を測定する通信感度センサーとの何れかを含む第２センサー群と、を有し、
当該端末装置は、
前記第２センサー群による測定結果と、この測定結果の測定時に当該端末装置が身体に装着されていたか否かの、前記第１センサー群による判定結果と、を対応付けたデータを記憶するデータ記憶部を備え、
前記監視部は、前記第２センサー群を用いて前記監視動作を行うとき、前記データ記憶部に記憶された前記データに基づいて当該監視動作を実行することを特徴とする端末装置。
＜請求項６＞
請求項５記載の端末装置において、
前記第１センサー群は、当該端末装置の位置での気圧を測定する気圧センサーを含み、
前記第２センサー群は、当該端末装置の周囲の磁気を測定する磁気センサーと、当該端末装置の周囲の湿度を測定する湿度センサーとの何れかを含むことを特徴とする端末装置。
＜請求項７＞
請求項１〜６の何れか一項に記載の端末装置において、
身体の手首、足首及び胸部の何れかに装着されることを特徴とする端末装置。
＜請求項８＞
端末装置のセキュリティを確保するセキュリティ方法において、
前記端末装置として、
身体に装着可能であり、
身体に装着されているか否かの判定に使用可能な複数種類のセンサーを有する装着検知部を備えるものを用い、
前記端末装置が身体に装着されているか否かを判定する監視動作を実行する監視ステップと、
前記端末装置をアンロック状態及びロック状態の何れかに設定するアンロック・ロック制御ステップと、
を含み、
前記監視ステップでは、前記端末装置が前記アンロック状態に設定されているときに前記監視動作を実行し、前記装着検知部の前記複数種類のセンサーの何れも使用状態に設定されていないとき、前記複数種類のセンサーのうちの動作時の消費電力が最も小さい特定のセンサーを動作させて当該監視動作を実行することを特徴とするセキュリティ方法。
＜請求項９＞
請求項８記載のセキュリティ方法において、
前記監視ステップでは、前記監視動作を実行する際に、前記装着検知部の前記複数種類のセンサーの何れかが使用状態に設定されているとき、当該使用状態に設定されているセンサーを用いて当該監視動作を実行することを特徴とするセキュリティ方法。
＜請求項１０＞
請求項８または９記載のセキュリティ方法において、
前記アンロック・ロック制御ステップでは、前記監視ステップの前記監視動作により前記端末装置が身体に装着されていないと判定された場合に、当該端末装置を前記ロック状態に設定することを特徴とするセキュリティ方法。
＜請求項１１＞
請求項１０記載のセキュリティ方法において、
前記装着検知部の前記複数種類のセンサーの１つとして、前記端末装置が装着されている身体の脈拍を測定する脈拍センサーを用い、
前記監視ステップでは、前記端末装置が前記ロック状態に設定され、ユーザによる認証操作が行われたときに前記脈拍センサーを動作させて、当該端末装置が身体に装着されているか否かを判定する判定動作を実行し、
前記アンロック・ロック制御ステップでは、前記監視ステップの前記判定動作により前記端末装置が身体に装着されていると判定された場合に、前記端末装置を前記アンロック状態に設定することを特徴とするセキュリティ方法。
＜請求項１２＞
請求項８〜１０の何れか一項に記載のセキュリティ方法において、
前記装着検知部の前記複数種類のセンサーとして、
前記端末装置が装着されている身体の脈拍を測定する脈拍センサーと、前記端末装置に加わる加速度を測定する加速度センサーとの何れかを含む第１センサー群と、
前記端末装置の装着面の温度を測定する体温センサーと、前記端末装置により行われる無線通信の通信感度を測定する通信感度センサーとの何れかを含む第２センサー群と、を用い、
前記第２センサー群による測定結果と、この測定結果の測定時に前記端末装置が身体に装着されていたか否かの、前記第１センサー群による判定結果と、を対応付けたデータを記憶するデータ記憶ステップを含み、
前記監視ステップでは、前記第２センサー群を用いて前記監視動作を行うとき、前記データ記憶ステップで記憶した前記データに基づいて、当該監視動作を実行することを特徴とするセキュリティ方法。
＜請求項１３＞
端末装置のセキュリティを確保するセキュリティプログラムにおいて、
前記端末装置は、
身体に装着可能であり、
身体に装着されているか否かの判定に使用可能な複数種類のセンサーを有する装着検知部を備え、
当該セキュリティプログラムは、前記端末装置に、
前記端末装置が身体に装着されているか否かを判定する監視動作を実行する監視機能と、
前記端末装置をアンロック状態及びロック状態の何れかに設定するアンロック・ロック制御機能と、
を実現させ、
前記監視機能は、前記端末装置が前記アンロック状態に設定されているときに前記監視動作を実行し、前記装着検知部の前記複数種類のセンサーの何れも使用状態に設定されていないとき、前記複数種類のセンサーのうちの動作時の消費電力が最も小さい特定のセンサーを動作させて当該監視動作を実行することを特徴とするセキュリティプログラム。
＜請求項１４＞
請求項１３記載のセキュリティプログラムにおいて、
前記監視機能は、前記監視動作を実行する際に、前記装着検知部の前記複数種類のセンサーの何れかが使用状態に設定されているとき、当該使用状態に設定されているセンサーを用いて当該監視動作を実行することを特徴とするセキュリティプログラム。
＜請求項１５＞
請求項１３または１４記載のセキュリティプログラムにおいて、
前記アンロック・ロック制御機能は、前記監視機能の前記監視動作により前記端末装置が身体に装着されていないと判定された場合に、当該端末装置を前記ロック状態に設定することを特徴とするセキュリティプログラム。
【符号の説明】
【００８４】
１              リスト端末装置
３４            センサー群
３４ａ          加速度センサー
３４ｂ          脈拍センサー
３４ｃ          通信感度センサー
３４ｄ          体温センサー
３８            ＣＰＵ
３７１          セキュリティプログラム
３７２          通信状態テーブル
【図１】
2014130067.tif 000003
【図２】
2014130067.tif 000004
【図３】
2014130067.tif 000005
【図４】
2014130067.tif 000006
【図５】
2014130067.tif 000007
【図６】
2014130067.tif 000008
【図７】
2014130067.tif 000009